(57)【要約】【課題】音声出力手段が異常になったときにその異常を音により報知する火災受信機を提供する。【解決手段】火災受信機は、火災の発生が検出されたときに音響部を介して警報メッセージとしての音声出力を報知する音声出力機能を有する音声制御装置が備えられている火災受信機において、音声制御装置は、音声制御装置の動作状態を現す動作出力を出力する動作状態出力部を有し、動作出力から音声制御装置の異常を検出したとき出力を異常側に変化する異常検出回路と、所定の周波数のパルスを発振する発振回路と、異常検出回路の出力が異常側に変化されたときパルスを音響部に入力する切換回路と、が備えられ、音響部は、異常検出回路の出力が異常側に変化されたときにパルスに従った音響を出力する。【選択図】図１
2006268670.tif 000002
【特許請求の範囲】
【請求項１】
火災の発生が検出されたときに音響部を介して警報メッセージとしての音声出力を報知する音声出力機能を有する音声制御装置が備えられている火災受信機において、
上記音声制御装置は、上記音声制御装置の動作状態を現す動作出力を出力する動作状態出力部を有し、
上記動作出力から上記音声制御装置の異常を検出したとき出力を異常側に変化する異常検出回路と、
所定の周波数のパルスを発振する発振回路と、
上記異常検出回路の出力が異常側に変化されたとき上記パルスを上記音響部に入力する切換回路と、
が備えられ、
上記音響部は、上記異常検出回路の出力が異常側に変化されたときに上記パルスに従った音響を出力することを特徴とする火災受信機。
【請求項２】
上記音声制御装置は、音声出力用ＩＣまたは音声出力用ＩＣの機能を内蔵しているマイクロコンピュータからなることを特徴とする請求項１に記載する火災受信機。
【発明の詳細な説明】
【技術分野】
【０００１】
この発明は、音声による警報メッセージが発せられる火災受信機に関する。
【背景技術】
【０００２】
従来の火災受信機は、例えば、台所、居間等の建物内の異なる部屋の呼称内容を含む警報メッセージの音声信号によって、火災警報を発する音声出力手段を有する（例えば、特許文献１参照）。
【０００３】
【特許文献１】特開２００３−６７８５８号公報
【発明の開示】
【発明が解決しようとする課題】
【０００４】
しかし、音声出力手段としての音声出力用ＩＣやその音声出力用ＩＣの機能を内蔵しているマイクロコンピュータが異常になってしまった場合、音声による火災警報が発せられなくなる。このようなとき、ユーザに音声出力手段の異常を盤面に備えられているＬＥＤなどの表示灯を点灯することにより報知している。
しかし、火災受信機が配置されている位置によっては表示灯が見づらいなどの理由でユーザが音声出力手段の異常を見逃すことがある。この状態で火災が発生しても火災警報は発せられず、火災が発生していることに未警戒であることに気が付かないまま放置される可能性があるため、大事故につながる恐れがある。
【０００５】
この発明の目的は、音声出力手段が異常になったときにその異常を音により報知する火災受信機を提供することである。
【課題を解決するための手段】
【０００６】
この発明に係わる火災受信機は、火災の発生が検出されたときに音響部を介して警報メッセージとしての音声出力を報知する音声出力機能を有する音声制御装置が備えられている火災受信機において、上記音声制御装置は、上記音声制御装置の動作状態を現す動作出力を出力する動作状態出力部を有し、出力が上記音響部に接続され、上記動作出力から上記音声制御装置の異常を検出したとき出力を異常側に変化する異常検出回路と、所定の周波数のパルスを発振する発振回路と、上記異常検出回路の出力が異常側に変化されたとき上記パルスを上記音響部に入力する切換回路と、が備えられ、上記音響部は、上記異常検出回路の出力が異常側に変化されたときに上記パルスに従った音響を出力する。
【発明の効果】
【０００７】
この発明に係わる火災受信機の効果は、音声出力機能を有する音声制御装置の異常を検出できる異常検出回路、所定の周波数のパルス信号を発振する発振回路および異常検出回路からの信号に従って発振回路からのパルス信号を音響部に供給する切換回路が備えられているので、音響部から当該音声制御装置が異常になったことを報知する音響が出力され、保守担当者がそれを確認することにより、当該音声制御装置の異常をそのままに放置することが防げる。
そして、当該音声制御装置が常に正常な状態に維持され、常に火災の発生が警戒されているので、火災の発生をそのまま放置することなく、直ちに消火などの処置を施すことができ、大事故につながる恐れがない。
【発明を実施するための最良の形態】
【０００８】
実施の形態１．
図１は、この発明の実施の形態１に係わる火災受信機の構成を示すブロック図である。
この発明の実施の形態１に係わる火災受信機１は、火災感知器２からの火災信号を検出して火災発生信号をマイクロコンピュータ３に入力する火災検出回路４、火災発生信号を受信したマイクロコンピュータ３からの地区音響警報信号に基づき火災の発生している地区音響装置５に鳴動信号を送信する地区音響回路６、火災発生信号を受信したマイクロコンピュータ３からの防排煙指令信号に基づき該当する防排煙設備７に制御信号を送信する制御回路８が備えられている。
【０００９】
さらに、火災受信機１は、火災発生信号が入力されたとき、火災が発生している地区を特定し、当該地区の地区音響装置５に係わる地区音響警報信号、該当する防排煙設備に係わる防排煙指令信号、地区呼称内容を含む音声警報指令信号を発するマイクロコンピュータ３、マイクロコンピュータ３からの音声警報指令信号に基づき音声出力信号を出力する音声出力用ＩＣ９（音声制御装置の一例）、音声出力信号により駆動されて音声を発する音響部１０が備えられている。
【００１０】
なお、火災検出回路４、地区音響回路６、制御回路８およびマイクロコンピュータ３は、一般的な火災受信機１に備わっているものを説明するために例として挙げているだけで、これに限るものではない。
【００１１】
この発明の火災受信機１の特徴は、音声出力用ＩＣ９と音響部１０とが備えられている火災受信機１において、音声出力用ＩＣ９から自身の動作状態を現す動作出力としてのウオッチドッグ出力が出力されており、このウオッチドッグ出力から音声出力用ＩＣ９の動作の異常を検出して出力を正常側としての「Ｌｏｗ」レベルから異常側としての「Ｈｉ」レベルに切り換える異常検出回路１１、所定の周波数のパルスを発振する発振回路１２および異常検出回路１１の出力と発振回路１２の出力が入力に接続され、出力が音響部１０の入力に接続され、異常検出回路１１の出力が「Ｈｉ」レベルになったとき発振回路１２からのパルスを音響部１０に入力する切換回路１３が備えられている。
また、異常検出回路１１の出力が「Ｈｉ」レベルに達したときに音声出力用ＩＣ９の動作が異常であること報知するために異常灯１４を点灯する異常点灯回路１５が備えられている。
【００１２】
そして、音声出力用ＩＣ９は、音響部１０をオンオフするオンオフ出力と警報メッセージからなる音声出力とを出力する。また、音声出力用ＩＣ９は、動作状態出力部としてのウオッチドッグ（ＷＤ）出力部１６からウオッチドッグ出力を出力する。このウオッチドッグ出力は、音声出力用ＩＣ９の動作が正常なとき所定の間隔で所定のパルス幅のパルス列からなり、音声出力用ＩＣ９の動作が異常なとき間隔やパルス幅が所定の値と異なったパルス列またはパルス列が出力されなくなる。
【００１３】
音響部１０は、音声出力用ＩＣ９から出力されるオンオフ出力と音声出力が入力される。そして、音響部１０は、入力された音声出力を増幅してスピーカ駆動出力を出力する増幅回路１７、スピーカ駆動出力が入力されると警報メッセージの音声を発声するスピーカ１８、オンオフ出力に基づいて増幅回路１７をオンオフするオンオフ回路１９が備えられている。
この音声出力が音声出力用ＩＣ９から音響部１０に伝えられる経路を音声出力ライン２０と称す。また、オンオフ出力が音声出力用ＩＣ９から音響部１０に伝えられる経路をオンオフ出力ライン２１と称す。
【００１４】
次に、音声出力用ＩＣ９の動作が正常のときの火災受信機１の動作について説明する。
ある地区で火災が発生したとき、マイクロコンピュータ３から音声出力用ＩＣ９に地区呼称内容を含む音声警報指令信号が入力される。そして、音声出力用ＩＣ９は、警報メッセージを作成し、それを音声出力に変換して出力する。同時に、オンオフ出力のレベルを通常時の「Ｌｏｗ」レベルから「Ｈｉ」レベルに切り換える。すると、オンオフ回路１９によって増幅回路１７がＯＮされて、音声出力が増幅されてスピーカ１８から、例えば火災の発生している地区を１階とすると「１階から火事です。」という警報メッセージの音声が発声される。
【００１５】
次に、音声出力用ＩＣ９の動作が異常になったときに係わる異常検出回路１１、発振回路１２、切換回路１３および音響部１０の動作について説明する。
異常検出回路１１は、入力されているウオッチドッグ出力が所定の間隔で所定のパルス幅のパルス列であるとき、音声出力用ＩＣ９が正常であることを意味する「Ｌｏｗ」レベルの出力が出力され、ウオッチドッグ出力が所定の間隔または所定のパルス幅と異なったパルス列であるとき、音声出力用ＩＣ９が異常であることを意味する「Ｈｉ」レベルの出力が出力される。そして、異常検出回路１１の出力はオンオフ出力ライン２１に接続されている。そこで、異常検出回路１１の出力が「Ｈｉ」レベルに変化すると、オンオフ回路１９が増幅回路１７をＯＮする。また、同時に異常点灯回路１５のトランジスタをＯＮして、異常灯１４を点灯させる。
【００１６】
発振回路１２は、可聴域の周波数、例えば１ｋＨｚ〜４ｋＨｚの間の適切な周波数のパルスを発振して発振回路出力ライン２２に出力している。なお、発振回路１２は、例えば、図２に示すような、オペアンプの２段接続の低周波発振回路により構成されるが、特に発振の方式を限定するものではない。
【００１７】
切換回路１３は、コレクタ接地のＮＰＮトランジスタから構成されており、エミッタに異常検出回路１１の出力が接続され、コレクタが音声出力ライン２０に接続され、ベースに発振回路出力ライン２２が接続されている。そして、通常は、エミッタが「Ｌｏｗ」レベルであるため、ベースとコレクタは非導通であるが、エミッタが「Ｈｉ」レベルに変化すると、ベースとコレクタは導通し、ベースに入力されているパルスによりコレクタの電圧が切り換えられる。この信号が音声出力ライン２０を介して増幅回路１７に入力される。
【００１８】
次に、音声出力用ＩＣ９が異常になったときの火災受信機１の動作について説明する。
音声出力用ＩＣ９が異常になると、ウオッチドッグ出力が所定の間隔または所定のパルス幅と異なったパルス列となるので、異常検出回路１１の出力が「Ｈｉ」レベルに変化する。
そして、異常検出回路１１の出力が「Ｈｉ」レベルに変化すると、オンオフ回路１９によって音響部１０の増幅回路１７がＯＮされると共に切換回路１３のエミッタが「Ｈｉ」に引き上げられ、切換回路１３のコレクタに周波数が可聴域のパルス信号が出力される。
すると、増幅回路１７は、ＯＮされているので、可聴域のパルス信号が増幅されて、スピーカ１８から可聴域の音響が鳴動する。
火災受信機１の保守担当者は、可聴域の音響の鳴動を聞くことにより、火災受信機１に音声出力用ＩＣ９の異常が発生していることが分かるので、火災受信機１の調査に進む。このとき、音声出力用ＩＣ異常灯１４も点灯しており、その音声出力用ＩＣ９を調べて交換することができる。
【００１９】
このような火災受信機１は、音声出力用ＩＣ９の異常を検出できる異常検出回路１１、可聴域のパルス信号を発振する発振回路１２および異常検出回路１１からの信号に従って発振回路１２からのパルス信号を音響部１０に供給する切換回路１３が備えられているので、音響部１０から音声出力用ＩＣ９が異常になったことを報知する音響が出力され、保守担当者がそれを確認することにより、音声出力用ＩＣ９の異常をそのままに放置することが防げる。
そして、音声出力用ＩＣ９が常に正常な状態に維持され、常に火災の発生が警戒されているので、火災の発生をそのまま放置することなく、直ちに消火などの処置を施すことができ、大事故につながる恐れがない。
【００２０】
なお、上述の実施の形態１において、音声出力用ＩＣ９は、音声出力用ＩＣ９の動作状態を現す動作出力を出力する動作状態出力部として、ＷＤ出力部１６を備えた構成としたが、異常検出回路１１が上記動作出力から音声出力用ＩＣ９の異常を検出することができればよく、通信などの他の手法も採用することができる。
【００２１】
実施の形態２．
図３は、この発明の実施の形態２に係わる火災受信機の構成を示すブロック図である。
実施の形態２に係わる火災受信機１Ｂは、実施の形態１に係わる火災受信機１と異なり、実施の形態１の音声出力用ＩＣ９の機能がマイクロコンピュータ３Ｂ（音声制御装置の一例）の中に取り込まれている。その他は、実施の形態１の火災受信機１と同様であるので、同様な部分に同じ符号を付記して説明は省略する。
【００２２】
実施の形態２に係わるマイクロコンピュータ３Ｂは、実施の形態１のマイクロコンピュータ３と同様に火災受信機１Ｂ全体を制御するものであり、さらに、音声出力部２４を有し、音声出力部２４は、音声出力とオンオフ出力を出力する。この音声出力とオンオフ出力は、実施の形態１に係わる音声出力用ＩＣ９から出力されているものと同様であるので説明は省略する。
また、マイクロコンピュータ３Ｂは、ウオッチドッグ（ＷＤ）出力部１６Ｂを有し、ウオッチドッグ出力を出力する。このウオッチドッグ出力は、マイクロコンピュータ３Ｂの動作が正常なとき所定の間隔で所定のパルス幅のパルス列であり、マイクロコンピュータ３Ｂの動作が異常なとき間隔やパルス幅が所定の値と異なったパルス列またはパルスは出力されない。
【００２３】
このような火災受信機１Ｂは、実施の形態１の火災受信機１と同様に、警報メッセージの音声出力に係わる信号を出力する機能を有するマイクロコンピュータ３Ｂが異常になってもマイクロコンピュータ３Ｂから出力されるウオッチドッグ出力に基づいて異常が検出され、それに連動してマイクロコンピュータ３Ｂが異常になったことを音響により報知されるので、マイクロコンピュータ３Ｂの異常をそのままに放置されることを防げる。
【００２４】
なお、上述の実施の形態２において、マイクロコンピュータ３Ｂは、マイクロコンピュータ３Ｂの動作状態を現す動作出力を出力する動作状態出力部として、ＷＤ出力部１６Ｂを備えた構成としたが、異常検出回路１１が上記動作出力からマイクロコンピュータ３Ｂの異常を検出することができればよく、通信などの他の手法も採用することができる。
【００２５】
また、上述の実施の形態１、２において、本発明を火災受信機を用いて説明したが、例えば火災感知器などの他の火災報知設備用機器にも適用することができる。つまり、実施の形態１における音声出力用ＩＣ９、実施の形態２におけるマイクロコンピュータ３Ｂを備えた機器であれば、本発明を適用することによって、それらが異常になったことを音響により報知することができ、それらの異常がそのままに放置されることを防げる。
【図面の簡単な説明】
【００２６】
【図１】この発明の実施の形態１に係わる火災受信機の構成を示すブロック図である。
【図２】実施の形態１に係わる発振回路の例である。
【図３】この発明の実施の形態２に係わる火災受信機の構成を示すブロック図である。
【符号の説明】
【００２７】
１  火災受信機、２  火災感知器、３  マイクロコンピュータ、４  火災検出回路、５  地区音響装置、６  地区音響回路、７  防排煙設備、８  制御回路、９  音声出力用ＩＣ、１０  音響部、１１  異常検出回路、１２  発振回路、１３  切換回路、１４  異常灯、１５  異常点灯回路、１６  動作状態出力部、１７  増幅回路、１８  スピーカ、１９  オンオフ回路、２０  音声出力ライン、２１  オンオフ出力ライン、２２  発振回路出力ライン、２４  音声出力部。
【図１】
2006268670.tif 000003
【図２】
2006268670.tif 000004
【図３】
2006268670.tif 000005